(57)【要約】【課題】Ｖ／ｆ制御とセンサレスベクトル制御とを円滑に切り換え可能な永久磁石型同期モータの制御装置を提供すること。【解決手段】Ｖ／ｆ制御の演算では、回転子の位置・速度の情報を用いず、インバータの座標軸であるδ−γ座標を基準に制御を行う。一方、センサレスベクトル制御では、回転子の位置・速度を推定し、回転子の座標軸であるｄ−ｑ座標を基準に制御を行う。したがって、２つの制御の切換えを行う場合は、制御座標軸を変換する必要がある。同図で、モータ電圧をｖ、モータ電流をｉ、Ｖ／ｆ制御時の座標軸（δ−γ座標軸）とセンサレスベクトル制御時の座標軸（ｄ−ｑ座標軸）との位相差をθとする。Ｖ／ｆ制御時は基本的にδ軸電流を０に制御しているので、モータ電流ｉはγ軸電流ｉγにほぼ等しくなる。位相差θの大きさは、予めテーブル化された値を用いたり、関数化された値を用いればよい。【選択図】        図３
2008148437.tif 000002
【特許請求の範囲】
【請求項１】
速度指令に比例した電圧指令を用いてインバータを稼働させ、出力電圧位相角と、所望の力率角とを用いてモータに印加する電流を３相／２相変換して速度指令にフィードバックするＶ／ｆ制御の演算と、
電圧指令と、フィードバックする当該モータ印加電流とから、当該モータの回転子位置を推定し、当該推定された速度から所定の演算、またはテーブルからの選択によって最小電流となる電流指令を用いて制御するセンサレスベクトル制御の演算と、
を切り換えて当該モータを制御する演算装置を有することを特徴とする永久磁石型同期モータの制御装置。
【請求項２】
前記Ｖ／ｆ制御の演算から前記センサレスベクトル制御の演算への切り換えに際し、インバータ座標系と前記モータの回転子座標系との位相差を補正することを特徴とする請求項１に記載の永久磁石型同期モータの制御装置。
【請求項３】
前記センサレスベクトル制御の演算から前記Ｖ／ｆ制御の演算への切り換えに際し、インバータ座標系と前記モータの回転子座標系との位相差および力率制御角を補正することを特徴とする請求項１または２に記載の永久磁石型同期モータの制御装置。
【請求項４】
励磁方向の電流が一定値以上のときには前記Ｖ／ｆ制御の演算と前記センサレスベクトル制御の演算とを切り替えないことを特徴とする請求項１〜３のいずれか一つに記載の永久磁石型同期モータの制御装置。
【請求項５】
定位相脈動トルクを有する負荷の場合、前記Ｖ／ｆ制御の演算と前記センサレスベクトル制御の演算とを切換える位相を、脈動ピークを外した所定の位相に固定させることを特徴とする請求項１〜４のいずれか一つに記載の永久磁石型同期モータの制御装置。
【発明の詳細な説明】
【技術分野】
【０００１】
本発明は、永久磁石型同期モータの制御装置に関するものであり、更に詳しくは、周期的な負荷変動がある場合も考慮した永久磁石型同期モータの制御装置に関する。
【背景技術】
【０００２】
従来、永久磁石型同期モータの制御には、低速モードはセンサレス制御、高速モードではＶ／ｆ制御と、いずれかを選択する方式の制御がある。そのような制御において、例えば、高速モードから低速モードに切り換える際に、モータに印加する電圧および電流が急変しないように電圧指令および電流指令を補償する補償手段を有するものが開示されている（例えば、特許文献１）。
【０００３】
【特許文献１】特開２００３−２１９６９８号公報
【発明の開示】
【発明が解決しようとする課題】
【０００４】
しかしながら、上記従来の制御では、制御の切り換えの前後で電圧指令及び電流指令の双方を徐々に変化させていく必要があり、制御が複雑となり、演算装置にも負担が掛かる。また、トルク脈動のある負荷（たとえば、シングルロータリー型圧縮機）に対しては、当該トルク脈動との関係が考慮されておらず、脈動の大きな位相で上記制御方式の切り換えが行われると、電圧および電流が急変し、円滑な切り換えができない場合もある。
【０００５】
本発明は、上記に鑑みてなされたものであって、シンプルな構成でも制御方式を円滑に切り換えることができる永久磁石型同期モータの制御装置を提供することを第一の目的とする。また、トルク脈動のある負荷がある場合も考慮して工夫した上記永久磁石型同期モータの制御装置を提供することを第二の目的とする。
【課題を解決するための手段】
【０００６】
上述した課題を解決し、目的を達成するために、本発明に係る永久磁石型同期モータの制御装置は、速度指令に比例した電圧指令を用いてインバータを稼働させ、出力電圧位相角と、所望の力率角とを用いてモータに印加する電流を３相／２相変換して速度指令にフィードバックするＶ／ｆ制御の演算と、電圧指令と、フィードバックする当該モータ印加電流とから、当該モータの回転子位置を推定し、当該推定された速度から所定の演算、またはテーブルからの選択によって最小電流となる電流指令を用いて制御するセンサレスベクトル制御の演算と、を切り換えて当該モータを制御する演算装置を有するようにしたものである。
【０００７】
この発明によれば、Ｖ／ｆ制御とセンサレス制御も基本的にモータの運転状態に差がなく、駆動制御の切り換えを円滑に行うことが可能となる。
【０００８】
また、本発明に係る永久磁石型同期モータの制御装置は、前記永久磁石型同期モータの制御装置において、前記Ｖ／ｆ制御の演算から前記センサレスベクトル制御の演算への切り換えに際し、インバータ座標系と前記モータの回転子座標系との位相差を補正するようにしたものである。
【０００９】
この発明によれば、モータ電流指令及びモータ電圧指令を徐々に変更して電圧・電流の急変を抑制する必要がない為、制御アルゴリズムを簡略化可能であり、演算処理にかかる負担が少ない。
【００１０】
また、本発明に係る永久磁石型同期モータの制御装置は、前記永久磁石型同期モータの制御装置において、前記センサレスベクトル制御の演算から前記Ｖ／ｆ制御の演算への切り換えに際し、インバータ座標系と前記モータの回転子座標系との位相差および力率制御角を補正するようにしたものである。
【００１１】
この発明によれば、モータ電流指令及びモータ電圧指令を徐々に変更して電圧・電流の急変を抑制する必要がない為、制御アルゴリズムを簡略化可能であり、演算処理にかかる負担が少ない。
【００１２】
また、本発明に係る永久磁石型同期モータの制御装置は、前記永久磁石型同期モータの制御装置において、励磁方向の電流が一定値以上のときには前記Ｖ／ｆ制御の演算と前記センサレスベクトル制御の演算とを切り替えないようにしたものである。
【００１３】
この発明によれば、周波数指令が大きく、いわゆる弱め界磁制御を行ってトルクを増大させるときは、励磁方向の電流が大きくなる。そのようなときは、切り換えを行わず、電流が過大になって制御が不安定になるのを防止する。
【００１４】
また、本発明に係る永久磁石型同期モータの制御装置は、前記永久磁石型同期モータの制御装置において、定位相脈動トルクを有する負荷の場合、前記Ｖ／ｆ制御の演算と前記センサレスベクトル制御の演算とを切換える位相を、脈動ピークを外した所定の位相に固定させるようにしたものである。
【００１５】
この発明によれば、トルク脈動（変動）によってモータ電流波形に急変がある場合であって、その変化が一定の位相で起こることが分かっている場合、当該ポイントを外した所定位置をトリガーとして制御演算の切り換えを行うので、過電流による緊急停止という事態を回避することができる。
【発明の効果】
【００１６】
本発明に係る永久磁石型同期モータの制御装置は、モータ回転速度領域に拘わらず、それぞれ演算の基礎となる座標が異なるＶ／ｆ駆動制御(δ-γ座標軸)と、センサレスベクトル駆動制御(ｄ−ｑ座標軸)の切換えにおいて、シンプルな構成で円滑な切り換えができ、失敗が抑制されるという効果を奏する。また、定位相の脈動トルクがある負荷に対しても円滑な切り換えができるという効果を奏する。
【発明を実施するための最良の形態】
【００１７】
以下に、本発明に係る永久磁石型同期モータの制御装置の実施例を図面に基づいて詳細に説明する。なお、以下の説明において、当業者によく知られているように、δ-γ座標は、励磁方向であるδ軸と、それに９０度電気角が進んだγ軸とのインバータにおける直角座標を意味し、ｄ−ｑ座標は、モータ回転子の界磁方向をｄ軸、それに９０度電気角が進んだｑ軸との直角座標を意味する。
【実施例】
【００１８】
［Ｖ／ｆ制御の演算］
図１は、本発明に係る永久磁石型同期モータの制御装置で行うＶ／ｆ制御の演算工程を示すブロック線図である。同図において、ωmは回転数指令、ｎはモータの極対数、ω1はインバータ出力周波数（一次周波数）、ｖδ*、ｖγ*は、それぞれδ軸、γ軸電圧指令、ｖu*、ｖv*、ｖw*はそれぞれｕ相、ｖ相、ｗ相の電圧指令、ｖu、ｖv、ｖwはそれぞれｕ相、ｖ相、ｗ相の出力電圧、ｉu、ｉv、ｉwは、それぞれｕ相、ｖ相、ｗ相の出力電流、ｉδ、ｉγはそれぞれδ軸、γ軸のインバータ出力電流、θは出力電圧位相、およびφは力率角である。
【００１９】
Ｖ／ｆ制御とは、永久磁石型同期モータ４に供給する電圧の電圧指令ｖ*δ、ｖ*γを速度指令ωf*に比例させる制御である。
【００２０】
本発明に係る永久磁石型同期モータの制御装置で行う演算は、速度指令演算手段（図示省略）による速度指令ｎωmを基礎とする。当該速度指令は、負荷の状態に応じて速度の増減を指令するものである。例えば、永久磁石型同期モータを空気調和装置等に用いられる圧縮機に適用する場合、室温等の温度を上下させるため、冷媒の循環量を増減させるときに速度指令ｎωmを増減させて圧縮機の回転数を上下させる。なお、ωmは回転数指令（機械角）、ｎωmは速度指令（電気角）で、速度指令＝ｎ×回転数指令との関係がある。
【００２１】
永久磁石型同期モータ４に対して本制御装置で行う演算は、電圧指令演算手段１、２相／３相変換手段２、インバータ３、３相／２相変換手段５、力率角演算手段６、ゲイン７、積分器８で構成される。ここでは、簡略化のためにインバータ３にＰＷＭ回路も含むこととした。モータ４は、最終的に電力調整器たるインバータ３から印加される電圧で駆動される。
【００２２】
本発明に用いるＶ／ｆ制御の演算では、一般的に行われるＶ／ｆ制御を基調としながら、電圧指令演算手段１、力率角演算手段６、および３相／２相変換手段５に特徴を有する。なお、インバータ３と積分器８は、一般的にモータ制御に用いられるものであればよい。すなわち、インバータ３は、電圧指令ｖ*δ、ｖ*γに応じて電力変換し、所望の電圧をモータ４に印加するものであればよい。積分器８は、速度指令（角周波数指令）ω1を積分して角度ψを導出するものであればよい。
【００２３】
電圧指令演算手段１では、一般的に行われるように、インバータ３の出力電圧から演算されるｕ、ｖ、ｗ３相の各電流ｉu、ｉv、ｉwを３相／２相変換した後のδ軸電流ｉδ、γ軸電流ｉγ、インバータ出力周波数ω1、比例定数Ｋ、ｄ軸の誘起電圧係数Λd、および比例ゲインＫδを用いた以下の式（１−１）（１−２）の演算によって、δ軸電圧指令ｖδ*およびγ軸電圧指令ｖγ*を求める。
【００２４】
【数１−１】
2008148437.tif 000003
【数１−２】
2008148437.tif 000004
【００２５】
具体的に式（１−１）の演算では、δ軸電圧指令はδ軸電流ｉδが０になるように負の比例制御を行っている。これで、ｉδの正負のふらつきがあれば、ゲインＫδによって早急にｉδのふらつきをなくすように電圧指令ｖδ＊が決定される。γ軸電圧指令ｖγ*は、誘起電圧に相当するΛdω1の電圧を補うような電圧値とすることに加え、δ軸電流ｉδを０にする演算をするために、ここではｉδを積分する積分制御を行う。つまり、式（１−２）の演算では、δ軸電流ｉδが正負のどちらか一方の値で累積すれば、その分大きな値で元に戻るような電圧値が決定される。なお、ここでは積分制御を用いたが、制御応答性によっては、比例制御、比例＋積分制御等としてもよい。
【００２６】
このようにすることで、モータのインダクタンスに異方性がない場合、ｉδは０になり、ｉδが０になればｖδも０になる。結局、モータ４に流す電流とモータ印加電圧はγ軸成分のみとなり、位相は一致するので力率１となる。
【００２７】
しかしながら、永久磁石型同期モータでは、リラクタンストルクも利用できるので、マグネットトルクとリラクタンストルクの双方をバランスよく利用することで、電流を最小電流にすることができる。そこで、発明者は、鋭意研究の末、マグネットトルクとリラクタンストルクの双方をバランスよく用いるためのδ軸電流とγ軸電流が流れるときの力率角φを積極的に利用することを見いだした。具体的には、δ軸電流とγ軸電流合成絶対値Ｉと、ｑ軸のインダクタンスとを用いて、当該δ軸電流とγ軸電流力率角φを定義できることを見いだした（詳細は、特願２００４−３６６８３７参照）。
【００２８】
【数２】
2008148437.tif 000005
【００２９】
このように、発明者は、トルクを出すために必要となる最小電流の制御は、φ＝０ではなく、力率角（位相差）を積極的に制御してやることにより実現できることを見いだした。そこで、本発明では、図１に示すように、モータ端子の電流を３相２相変換する際に用いられる回転軸をθではなくθ−φとする力率角演算手段６を有するようにした。φは、電流Ｉの関数であるから、同図に示すように、まず、フィードバックされるδ軸およびγ軸電流を用いてＩを求める。Ｉが求まれば、それに上記定数を乗じてφを求める。これによってφを３相２相変換の回転軸θから差し引くようにする。
【００３０】
そして、θ−φを回転軸として３相２相変換された電流は、ゲインＫω７が乗じられて周波数たる速度指令ｎω*に負帰還され、最小電流となるようなモータの力率角φに合うように指令ｎω*が修正される。これは、負荷が重くなり、モータの回転子の位置が回転磁界に対して遅れると電流が増え、逆に負荷が軽くなり、回転子の位置が回転磁界に対して進むと電流が減るので、速度指令を修正することで安定化させるものである。
【００３１】
上記電流Ｉと位相差φの関係は、比例関係であるので、適切な比例定数を選択して演算によりφを導くようにしてもよいし、電流値の大きい範囲での正確性を求めるのであれば、Ｉとφの関係をテーブル化してもよい。Ｉは、実際のフィードバックで得られるので、φは一義的に決定でき、常に適切な位相差φを求めることができる。
【００３２】
以上により、この発明に係る永久磁石型同期モータの制御装置におけるＶ／ｆ制御の演算によれば、永久磁石型同期モータのリラクタンストルクも考慮した最小電流で永久磁石型同期モータのトルクを制御することができる。また、複雑な演算を必要とせず、３相２相変換の際の回転軸角度を変化させるだけで、最小電流によるトルク制御が可能になるので、構成がシンプルとなり、メンテナンス性も向上する。さらに、本発明では、一般的なＶ／ｆ制御に比べてトルク範囲が拡張され、低速回転から高速回転まで電流を最小にして動作させることが可能となる。
【００３３】
このような制御が可能になると、工業製品の小型化、省電力化に寄与することができる。たとえば、エアコンの圧縮機用のモータは、小型化の要請と共にエアコンが大量に電力を消費する機器であることから、ことの他省電力化の要請が強い。永久磁石型同期モータが採用されてきているのも、その現れの一つであるが、本発明により、最小電流制御がコンパクトな構成で可能となれば、上記要請に沿うものとなる。
【００３４】
［センサレスベクトル制御］
図２は、本発明に係る永久磁石型同期モータの制御装置で行うセンサレスベクトル制御の演算工程を示すブロック線図である。センサレスベクトル制御とは、永久磁石型同期モータ４の電機子電流からロータの位置と回転速度とを推定し、推定されたロータの位置と回転速度とに応答して、永久磁石型同期モータ４に供給される電機子電流のｑ軸電流ｉqとｄ軸電流ｉdとを制御する制御である。
【００３５】
本発明に係る永久磁石型同期モータの制御装置におけるセンサレスベクトル制御は、３相／２相変換手段５、位置／速度推定演算手段１３、速度制御演算手段１１、電流制御演算手段１２、２相／３相変換手段２、及びインバータ３とで行われる。なお、当該制御装置における演算は、システムクロックのクロックサイクル毎に行われる。
【００３６】
３相２相変換手段５では、取得されたｕ相電流ｉu、ｖ相電流ｉv、及びｗ相電流ｉw（又はこれらのうちの２つ）に対して、一つ前のクロックサイクルで算出されたロータの推定位置（角度）ψを用いて３相２相変換が行われ、ｑ軸電流ｉq及びｄ軸電流ｉdが算出される。
【００３７】
位置／速度推定演算１３では、３相２相変換手段５で算出されたｑ軸電流ｉq及びｄ軸電流ｉdと、一つ前のクロックサイクルにおいて電流制御演算手段１２で算出されたｑ軸電圧ｖ*q及びｄ軸電圧ｖ*dとから、現在のロータの推定位置ψ及びロータの推定速度、並びに、次のクロックサイクルにおけるロータの推定位置ψが算出される。推定位置ψ、及び推定速度ω1は、永久磁石型同期モータ４のモータモデルを用いて算出される（詳細は省略）。
【００３８】
速度制御演算手段１１では、速度指令ωm*とロータの推定速度ω1との偏差が算出され、該偏差が０に近づくように、ｑ軸電流指令値ｉq*とｄ軸電流指令値ｉd*とが生成される。モータのインダクタンスに異方性がない場合、一般的には、ｄ軸電流指令値ｉd*は０である。しかし、速度指令ω*が高いために弱め界磁制御を行う必要がある場合には、ｄ軸電流指令値ｉd*は負に設定される。また、モータのインダクタンスが異方性を有する場合も、ｄ軸電流指令値ｉd*は０とならない。最小電流で永久磁石型同期モータ４を制御するためには、まず速度指令ωm*とロータの推定速度ω1との偏差に応じたトルクを算出、または選択する。そして、当該トルクを出すために必要となるｑ軸電流指令値ｉq*とｄ軸電流指令値ｉd*の組み合わせを演算、またはテーブルにより選択する。
【００３９】
電流制御演算手段１２では、ｑ軸電流指令値ｉq*とｑ軸電流ｉqとの偏差、及びｄ軸電流指令値ｉd*とｄ軸電流ｉdとの偏差が算出され、これらの偏差が０に近づくようにｑ軸電圧ｖq*及びｄ軸電圧ｖd*が決定される。ｑ軸電圧ｖq*及びｄ軸電圧ｖd*の決定には、ロータの推定速度ω1が使用される。
【００４０】
２相／３相変換手段２では、決定されたｑ軸電圧ｖq*及びｄ軸電圧ｖd*に対して２相３相変換が行われ、永久磁石型同期モータ５に供給されるべき３相駆動電圧のｕ相電圧ｖ*u、ｖ相電圧ｖ*v、及びｗ相電圧ｖ*wが算出される。この２相３相変換では、次のクロックサイクルにおけるロータの推定位置ψが使用される。なお、２相／３相変換では、ロータの推定位置ψに対して推定速度に応じた補正が加えられることにより、次のクロックサイクルにおけるロータの推定位置ψが算出される。
【００４１】
インバータ３に含まれるとして図示しなかったＰＷＭでは、算出されたｕ相電圧ｖu*、ｖ相電圧ｖ*v、及びｗ相電圧ｖw*を有する３相駆動電圧が永久磁石型同期モータ４に供給されるようにインバータ３を制御するＰＷＭ信号が生成される。
【００４２】
センサレスベクトル制御の利点は、同一モータ出力電流に対しては（即ち、スイッチング素子の容量がある値に定められた、あるインバータに対しては）、その出力トルクが大きいことである。ｑ軸電流ｉqとｄ軸電流ｉdとを独立して制御可能なセンサレスベクトル制御は、他の制御方法と比べて、より大きな出力トルクの出力が可能である。加えて、センサレスベクトル制御は、ｄ軸電流ｉdの制御によって弱め界磁制御を行うことができる。弱め界磁制御は、逆起電力を抑制して永久磁石型同期モータ５の高速運転を可能にする。
【００４３】
以上、Ｖ／ｆ制御、およびセンサレスベクトル制御の最小電流による制御について説明した。本発明では、これらの制御の切り換え演算について最大の特徴がある。
【００４４】
図３は、Ｖ／ｆ制御からセンサレスベクトル制御への切り換え時の位相差を示す電流・電圧ベクトル図である。既述したように、Ｖ／ｆ制御の演算では、回転子の位置・速度の情報を用いず、インバータの座標軸であるδ−γ座標を基準に制御を行う。一方、センサレスベクトル制御では、回転子の位置・速度を推定し、回転子の座標軸であるｄ−ｑ座標を基準に制御を行う。したがって、２つの制御の切換えを行う場合は、制御座標軸を変換する必要がある。
【００４５】
同図で、モータ電圧をｖ、モータ電流をｉ、Ｖ／ｆ制御時の座標軸（δ−γ座標軸）とセンサレスベクトル制御時の座標軸（ｄ−ｑ座標軸）との位相差をθとする。Ｖ／ｆ制御時はδ軸電流iδをゼロに制御しているので、モータ電流はγ軸方向を向いていると考えられる。また、センサレスベクトル制御時のモータ電流ｉは、ｄ軸電流ｉdとｑ軸電流ｉqに分けることができる。同図に示すように、位相差θは、センサレスベクトル制御時のｉdとｉqを用いて、θ＝ｔａｎ-1（ｉｄ／ｉｑ）と表すことができる。但し、θはｑ軸の正の方向をゼロとする。
【００４６】
Ｖ／ｆ制御時は基本的にδ軸電流を０に制御しているので、モータ電流ｉはγ軸電流ｉγにほぼ等しくなる。位相差θの大きさは、予めテーブル化された値を用いたり、関数化された値を用いればよい。例えば、図６に示すように、θをγ軸電流ｉγに比例させた値とし、切換え時のγ軸電流ｉγから位相差θを求め、制御座標軸が異なる分の位相差を補正する。θはγ軸電流ｉγの関数としてもよいし、γ軸電流ｉγとθのテーブルとして有し、選択できるようにしてもよい。θをγ軸電流に比例させた値とすれば、計算式が簡単になり、演算処理の負担が小さくなるメリットがある。なお、モータのインダクタンスに異方性がない場合、モータトルクτは、τ∝モータ電流I×sinθ' (θ'は誘起電圧とモータ電流のなす角)の関係にあり、θ'が小ならばθ'≒sinθ'  と考えられるため、θをγ軸電流に比例させた値とすることができる。
【００４７】
このように、座標軸を変換すれば、Ｖ／ｆ制御の演算からセンサレスベクトル制御の演算へ円滑に切り換えができる。すなわち、どちらの制御でも最小電流の制御を行うので、基本的に、永久磁石型同期モータを駆動させるためのインバータ出力電流にもほとんど差がなく、切り換えによって、急激な電流変化、電圧変化を抑制することができる。また、モータ電流指令及びモータ電圧指令を徐々に変更して電圧・電流の急変を抑制する必要がない為、制御アルゴリズムを簡略化可能であり、演算処理にかかる負担が少ない。
【００４８】
次に、センサレスベクトル制御の演算からＶ／ｆ制御の演算への切り換える場合について説明する。図４は、センサレスベクトル制御からＶ／ｆ制御へ切り換え時の位相差を示す電流・電圧ベクトル図である。本発明で用いるＶ／ｆ制御では、力率角を３相／２相変換に用いて最小電流での制御を行っているので、センサレスベクトル制御の演算からＶ／ｆ制御の演算に切り換える際には、位相差および力率角を補正する。
【００４９】
位相差θがｄ軸電流ｉdとq軸電流ｉqを用いてθ＝ｔａｎ-1（ｉd／ｉq）と表される点はＶ／ｆ制御の演算からセンサレス制御の演算への切換えと同様である。Ｖ／ｆ制御では、最小電流制御(若しくは最大効率制御)となるようにモータ電圧指令の位相とモータ電流の位相に位相差φを設けている。センサレスベクトル制御においても、最小電流制御(若しくは最大効率制御)を行っているので、Ｖ／ｆ制御におけるモータ電圧およびモータ電流の力率角φは同じになる。したがって、センサレスベクトル制御からＶ／ｆ制御に切換えを行う場合は、上記と同様に、制御座標軸が異なる分の位相差θの補正に加え、Ｖ／ｆ制御で最小電流制御(若しくは最大効率制御)を行う力率角分φを加算する。力率角φの大きさは、例えば、図７に示すように、モータ電流に比例させた値とし、切換え時のｄ、ｑ軸電流の２乗和平方根相当の値から求めることができる。また、電流値とφの値をテーブルとして有し、選択できるようにしてもよい。なお、２乗和平方根の値としたのは、略、モータトルク∝モータ電流Ｉの関係がなりたっているので、Ｉ＝（ｉd2＋ｉq2）1/2とすれば、それが２乗和平方根の値となるからである。
【００５０】
このように、座標軸を変換すれば、センサレスベクトル制御の演算から、Ｖ／ｆ制御の演算へ円滑に切り換えができる。すなわち、どちらの制御でも最小電流の制御を行うので、基本的に、永久磁石型同期モータを駆動させるためのインバータ出力電流にもほとんど差がなく、切り換えによって、急激な電流変化、電圧変化を抑制することができる。また、本発明では、力率角を３相／２相変換に用いて、極めて合理的に最小電流制御していることもあり、電圧指令や電流指令を直接操作しなくても、制御の演算の切り換えを円滑に行うことができる。また、モータ電流指令及びモータ電圧指令を徐々に変更して電圧・電流の急変を抑制する必要がない為、制御アルゴリズムを簡略化可能であり、演算処理にかかる負担が少ない。
【００５１】
図８は、定期的な脈動トルクを有する負荷に対して永久磁石型同期モータを適用するときの切り換え位相を示すグラフであり、横軸は位相（角度）であり、縦軸は負荷である。同図に示すように、永久磁石型同期モータを適用する負荷によっては、定期的にトルクが脈動するものがある。例えば、シングルロータリ圧縮機は、シャフト１回転につき、１回のトルク脈動がある。同図は、それを示している。
【００５２】
トルク脈動があれば、制御する側である制御装置にも電流ピークが出やすく、この短い時間（位相）の間は、どうしても不安定となりやすい。また、周波数指令が大きくなり、いわゆる弱め界磁制御を行ってトルクを増大させるときも、励磁方向の電流が大きくなる。そのようなときは、制御の切り換えを行わず、電流が過大になって制御が不安定になるのを防止する。具体的には、制御を切換える位相を、脈動ピークを外した所定の位相に固定させるとよい。また、一般的に、励磁方向の電流、またはトルク方向の電流が一定の位相で一定値以上になることが予め判明している場合には、当該一定の位相で、Ｖ／ｆ制御の演算とセンサレスベクトル制御の演算とを切り替えないようにする。図８の場合、所定の位相を、例えばモータ電流が脈動周期の平均値となる位相（Ａ点）とする。
【００５３】
このように、トルク脈動（変動）によってモータ電流波形に急変がある場合であって、その変化が一定の位相で起こることが分かっている場合、当該位相を外した所定位置をトリガーとして制御演算の切り換えを行えば、過電流による緊急停止という事態を回避することができる。
【００５４】
図５は、電流、位相差、および力率角等のテーブルの例を示す表である。Ｖ／ｆ制御の演算からセンサレスベクトル制御の演算への切り換え時は、Ｖ／ｆ制御において、Ｉγが例えば５．５［Ａ］と判っているので、これに対応する位相差θを１２．５として、センサレスベクトル制御への切り換えを行う。反対に、センサレスベクトル制御の演算においては、ｉｄおよびｉｑが判っている（これらは最小電流となるような組み合わせ）ので、これらの絶対値等から、位相差θと力率角φを選択し、座標の切り換えを行う。なお、一般的には、低速回転数でセンサレスベクトル制御の演算、高速回転数でＶ／ｆ制御を行うことが予想されるが、本発明においては、特に回転数による切り換えは直接関係なく、どちらの制御も可能な領域では、相互に、そして円滑に切り換え可能である。
【産業上の利用可能性】
【００５５】
以上のように、本発明にかかる永久磁石型同期モータの制御装置は、シンプルな構成でＶ／ｆ制御の演算と、センサレスベクトル制御の演算とを円滑に切り換える永久磁石型同期モータ用の制御装置に有用である。特に、コストを抑えたい永久磁石型同期モータの制御装置に適している。
【図面の簡単な説明】
【００５６】
【図１】本発明に係る永久磁石型同期モータの制御装置で行うＶ／ｆ制御の演算工程を示すブロック線図である。
【図２】本発明に係る永久磁石型同期モータの制御装置で行うセンサレスベクトル制御の演算工程を示すブロック線図である。
【図３】Ｖ／ｆ制御からセンサレスベクトル制御への切り換え時の位相差を示す電流・電圧ベクトル図である。
【図４】センサレスベクトル制御からＶ／ｆ制御へ切り換え時の位相差を示す電流・電圧ベクトル図である。
【図５】電流、位相差、および力率角等のテーブルの例を示す図表である。
【図６】電流と位相差との関係を示すグラフであり、横軸は電流Ｉγ、縦軸は位相差である。
【図７】電流と、位相差、および力率角との関係を示すグラフであり、横軸は電流Ｉｑ、縦軸は位相差および力率角である。
【図８】定期的な脈動トルクを有する負荷に対して永久磁石型同期モータを適用するときの切り換え位相を示すグラフであり、横軸は位相（角度）であり、縦軸は負荷である。
【符号の説明】
【００５７】
１  電圧指令演算手段
２  ２相／３相変換手段
３  インバータ
４  永久磁石型同期モータ
５  ３相／２相変換手段
６  力率角演算手段
７  ゲイン
８  積分器
１１  速度制御演算手段
１２  電流制御演算手段
１３  速度推定演算手段
【図１】
2008148437.tif 000006
【図２】
2008148437.tif 000007
【図３】
2008148437.tif 000008
【図４】
2008148437.tif 000009
【図５】
2008148437.tif 000010
【図６】
2008148437.tif 000011
【図７】
2008148437.tif 000012
【図８】
2008148437.tif 000013